Podtech/llm-jp-corpus-v4-ja_patent huggingface dataset:
【手続補正書】
【提出日】平成30年10月9日(2018.10.9)
【手続補正１】
【補正対象書類名】特許請求の範囲
【補正対象項目名】全文
【補正方法】変更
【補正の内容】
【特許請求の範囲】
【請求項１】
特にゴム完成物品を補強するために用いることができる補強製品であって、１つまたは複数の繊維または金属の補強スレッドを含み、前記スレッドが熱可塑性ポリマー組成物を含むシースで覆われ、前記シースで覆われたスレッド自体がコーティングゴムと称されるゴム組成物中に埋め込まれており、このコーティングゴムが少なくとも１種のジエンエラストマーと、補強フィラーと、３．５分未満の「ｔ０」と称される加硫開始時間を有する加硫促進剤を含む硫黄系加硫系とをベースとする組成物であることを特徴とする、補強製品。
【請求項２】
前記加硫促進剤が、ｔ０が３．５分未満である、チウラム系の化合物、チオカーバメート誘導体、スルフェンアミド、チオホスフェートまたはそれらの混合物からなる群から選択される、請求項１に記載の補強製品。
【請求項３】
前記コーティングゴム組成物が加硫促進剤としてＮ−シクロヘキシル−２−ベンゾチアゾールスルフェンアミドを含む、請求項２に記載の補強製品。
【請求項４】
前記コーティングゴム組成物が、硫黄含量と促進剤含量の比が厳密に４未満である、請求項１から３までのいずれか１項に記載の補強製品。
【請求項５】
前記コーティングゴム組成物が７ｐｈｒ未満の含量で金属酸化物を、また１ｐｈｒを超える含量でステアリン酸誘導体を含む、請求項１から４までのいずれか１項に記載の補強製品。
【請求項６】
前記コーティングゴム組成物がコバルト塩を含まない、請求項１から５までのいずれか１項に記載の補強製品。
【請求項７】
前記コーティングゴム組成物のジエンエラストマーが主として天然ゴム、合成ポリイソプレンまたはそれらの混合物からなる群から選択されるエラストマーを含む、請求項１から６までのいずれか１項に記載の補強製品。
【請求項８】
前記コーティングゴム組成物が２０〜８０ｐｈｒの補強フィラーを含む、請求項１から７までのいずれか１項に記載の補強製品。
【請求項９】
前記補強スレッドが金属スレッドである、請求項１から８までのいずれか１項に記載の補強製品。
【請求項１０】
請求項１から９までのいずれか１項に記載の補強製品を含むタイヤ。
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
ａ．少なくとも１種の（メタ）アクリレートエステルを含む（メタ）アクリレートモノマー混合物と、
ｂ．少なくとも２つのビニル基を有するビニルシラン架橋剤と、
フリーラジカル開始剤と、を含む、フリーラジカル硬化性組成物であって、
前記ビニルシラン架橋剤が、以下のもの又はカルボシランである、組成物。
【化１】
2017533975.tif 000001
［式中、Ｒ１が、一価ヒドロカルビル基であり、
Ｒ２が、Ｒ１又はエチレン性不飽和基Ｚであって、少なくとも２つのＲ２が、エチレン性不飽和基Ｚであり、
ａが、０〜８５である。］
【請求項２】
前記架橋剤が、下記式のものである、請求項１に記載の組成物。
【化２】
2017533975.tif 000002
［式中、Ｒ１が、一価ヒドロカルビル基であり、
Ｚが、ビニル基であり、
ａが、０〜８５である。］
【請求項３】
前記架橋剤が、下記式のものである、請求項１に記載の組成物。
【化３】
2017533975.tif 000003
［式中、Ｚが、ビニル基であり、
Ｒ１が、一価ヒドロカルビル基であり、
ａが、０〜８５であり、
ｂが、２〜３０であり、
ａ＋ｂが、２〜８５である。］
【請求項４】
前記モノマー混合物１００重量部に対して、０．１〜１０重量部の前記架橋剤を含む、請求項１に記載の組成物。
【請求項５】
ａ）
ｉ．８５〜９９．５重量部の（メタ）アクリル酸エステルと、
ｉｉ．０．５〜１５重量部の酸官能性モノマーと、
ｉｉｉ．０〜２０重量部の非酸官能性エチレン性不飽和極性モノマーと、
ｉｖ．０〜５部のビニルモノマーと、
ｖ．０．１〜５部の、前記架橋剤の共重合されたモノマー単位を含み、
ｖｉ．その合計が１００重量部である、請求項１に記載の組成物。
【請求項６】
前記架橋剤が、下記式のものである、請求項１に記載の組成物。
【化４】
2017533975.tif 000004
［式中、Ｚが、ビニル基であり、
Ｒ１が、一価飽和有機基であり、
Ｒ３が、直鎖又は分枝鎖二価ヒドロカルビル基であり、
ｃが、１〜３５であり、
ｄが、２〜１０である。］
【請求項７】
ｉ）１種以上のアルキル（メタ）アクリレートモノマーから誘導される重合単位を含む（メタ）アクリル溶質コポリマー成分と、
ｉｉ）フリーラジカル重合性溶媒モノマー成分と、
ｉｉｉ）少なくとも２つのビニル基を有するビニルシラン架橋剤と、を含む、シロップポリマー組成物であって、
前記溶媒モノマーが前記架橋剤を含むか、及び／又は前記（メタ）アクリル溶質コポリマーが少なくとも１種の架橋剤から誘導される重合単位を含み、
前記ビニルシラン架橋剤が、以下のもの又はカルボシランである、シロップポリマー組成物。
【化５】
2017533975.tif 000005
［式中、Ｒ１が、一価ヒドロカルビル基であり、
Ｒ２が、Ｒ１又はエチレン性不飽和基Ｚであって、少なくとも２つのＲ２は、エチレン性不飽和基Ｚであり、
ａが、０〜８５である。］
【請求項８】
溶媒モノマー及び溶質コポリマーの合計１００重量部に対して、０．１〜１０重量部の前記架橋剤を含む、請求項７に記載の組成物。
【請求項９】
前記溶質コポリマーが、前記架橋剤の共重合されたモノマー単位を含む、請求項７に記載の組成物。
【請求項１０】
前記溶媒モノマーが、前記架橋剤を含む、請求項７に記載の組成物。
【請求項１１】
少なくとも２つのビニル基を有するビニルシラン架橋剤により架橋されている（メタ）アクリレートコポリマーを含む、感圧性接着剤組成物であって、
前記コポリマーが、下記式のものであり、
〜［Ｍａｃｒｙｌａｔｅ］ｍ−［Ｍａｃｉｄ］ｎ−［Ｍｐｏｌａｒ］ｏ−［Ｍｖｉｎｙｌ］ｐ［Ｍｘｌｉｎｋ］ｑ〜
［式中、［Ｍａｃｒｙｌａｔｅ］が、重合したアクリレートエステルモノマー単位を表し、ここで下付文字ｍが、その８５〜９９．５重量部に対応し、
［Ｍａｃｉｄ］が、重合した酸モノマー単位を表し、ここで下付文字ｎが、その０．５〜１５重量部に対応し、
［Ｍｐｏｌａｒ］−が、重合した非酸官能性極性モノマー単位を表し、ここで下付文字ｏが、その０〜２０重量部に対応し、
［Ｍｖｉｎｙｌ］が、重合した他のモノマー単位を表し、ここで下付文字ｐが、その０〜５重量部に対応し、ｎ、ｍ、ｏ及びｐの合計が、１００重量部であり、
［Ｍｘｌｉｎｋ］が、重合したビニルシラン架橋剤モノマー単位を表し、ここで下付文字ｑが、ｎ、ｍ、ｏ及びｐの合計１００重量部に対して、０．１〜１０重量部であり、
前記ビニルシラン架橋剤が、以下のもの又はカルボシランである、感圧性接着剤組成物。
【化６】
2017533975.tif 000006
［式中、Ｒ１が、一価ヒドロカルビル基であり、
Ｒ２が、Ｒ１又はエチレン性不飽和基Ｚであって、少なくとも２つのＲ２は、エチレン性不飽和基Ｚであり、
ａが、０〜８５である。］
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
熱可塑性又は熱硬化性のポリマーマトリックスが含浸された強化フィラメントから、長さ全体にわたって一定の幅を有するテープを製造するための方法であって、前記フィラメントが、供給コイルから出るフィラメントのストランドから、前記テープの長さ方向に平行な方向に沿って伸び、ストランドの供給コイルから、含浸され統合されたテープの保管コイルまで、以下の工程：
ａ）前記供給コイルと前記保管コイルの間で張力を管理する工程と、
ｂ）前記ストランドを、長手軸と一致するラインにわたって並進して移動するストランドを得るように案内して、前記保管コイルに近接する範囲まで伸ばす工程と、
ｃ）任意選択で、前記テープの定格幅より大きい所定の幅に、前記ストランドを横方向に拡幅する工程と、
ｄ）前記ストランドの幅を管理する工程と、
ｅ）任意選択で、挟み込みによって又はフーラードを用いて、前記ストランドを引っ張る工程と、
ｆ）前記ストランドを接地する工程と、
ｇ）静電粉末コーティングによって、２０〜７５％の質量のポリマーレベルで、前記ストランド上に粉末としてポリマーを堆積して、含浸されたテープを得る工程と、
ｈ）前記ポリマーを溶融又は軟化させる工程と、
ｉ）前記テープの幅及び厚さを較正する較正工程と、
ｊ）任意選択で、前記テープの幅を測定する工程と、
ｋ）前記保管コイル上に前記テープを巻取る工程と
を含む方法。
【請求項２】
前記静電粉末コーティングが、流動床として維持されたポリマー粉末で行われ、次いで、１つ又は複数の静電散粉ガンにより堆積される、請求項１に記載の方法。
【請求項３】
前記較正工程ｉ）において、前記テープがカレンダー加工され、次いで、横方向に較正される、請求項１又は２に記載の方法。
【請求項４】
冷却されたカレンダーでカレンダー加工を行う、請求項３に記載の方法。
【請求項５】
較正が、横方向及び厚さの両方において行われる、請求項３又は４に記載の方法。
【請求項６】
較正が、少なくとも２つの対向した溝により、又は、少なくとも１つの溝と対向した平面とで行われる、請求項５に記載の方法。
【請求項７】
較正が、前記テープについての所望の定格幅に向けて行われる、請求項１〜６のいずれか１項に記載の方法。
【請求項８】
前記ストランドを横方向に拡幅する工程ｃ）が、前記ストランドを拡幅することで、前記テープの定格幅より大きい所定の幅に向けて行われ、次いで、前記ストランドが所定の値に較正される、請求項１〜７のいずれか１項に記載の方法。
【請求項９】
工程ｇ）において、前記テープが束に分離され、第１散粉が、束に分離されたテープ上に行われ、次いで、前記束を、第２散粉を行う前に接合させておく、請求項１〜８のいずれか１項に記載の方法。
【請求項１０】
ポリマーが溶融されたか又は軟化された場合に、２つの炭素ストランドが、粉末コーティングの前又は粉末コーティングの後に重ねられる、請求項１に記載の方法。
【請求項１１】
熱可塑性又は熱硬化性のポリマーのコアにコーティングされ及び／又は含浸された無機材料の一方向性繊維を用いて形成された、含浸された又は統合された連続テープであって、テープの重量に対して、３０％〜７５％に含まれるポリマーレベルを含み、単一片において、１００、５００、１０００又は５０００ｍ以上の長さにわたって、２〜７５ｍｍに含まれる一定の幅を有し、標準偏差が、０．０２〜０．１５ｍｍに含まれる、テープ。
【請求項１２】
１００、５００、１０００又は５０００ｍ以上の単一片の長さにわたって、６．３５ｍｍの平均幅を有し、標準偏差が０．０２〜０．０５ｍｍに含まれることを特徴とする、請求項１１に記載のテープ。
【請求項１３】
熱可塑性又は熱硬化性のポリマーが含浸された無機材料の一方向性繊維を用いて形成された連続テープであって、テープの重量に対して、２５％〜７５％に含まれるポリマーレベルを含み、前記テープのフィラメントの総量のうち２０〜５０％の量で、ポリマー中に取り込まれない内側フィラメントを含み、前記ポリマーが外側の連続シースを形成した、テープ。
【請求項１４】
熱可塑性又は熱硬化性のポリマーがコアに含浸された無機材料の一方向性繊維を用いて形成された連続テープであって、テープの重量に対して、２５％〜７５％に含まれるポリマーレベルを含み、前記フィラメントが、分離されて前記ポリマーで被覆された少なくとも２つの束のフィラメントとして、前記テープの長手方向に伸びた、テープ。
【請求項１５】
前記無機材料が炭素であることを特徴とする、請求項１１、１３及び１４のいずれか１項に記載のテープ。
【請求項１６】
Ｎｏ．１のキャリバーと、２５０ＴＵの質量と、７．５°の角度とを持つテープのテーバー剛性度が、ＮＦ  ＩＳＯ２４９３−２標準（第２部：テーバー試験機）に従って、５〜２５ＴＳＵに含まれることを特徴とする、請求項１１〜１５のいずれか１項に記載のテープ。
【請求項１７】
８０％〜９９％のフィラメントが、ポリマー中に取り込まれ、前記ポリマーによって覆われたことを特徴とする、請求項１１、１２及び１６のいずれか１項に記載のテープ。
【請求項１８】
Ｎｏ．１のキャリバーと、２５０ＴＵの質量と、７．５°の角度とを持つテープのテーバー剛性度が、ＮＦ  ＩＳＯ２４９３−２標準（第２部：テーバー試験機）に従って、４５〜６５ＴＳＵに含まれることを特徴とする、請求項１１、１２、１６及び１７のいずれか１項に記載のテープ。
【請求項１９】
請求項１１〜１８のいずれか１項に記載のテープを含むか又は請求項１〜１０のいずれか１項に記載の方法によって製造された、統合された複合部品。
【請求項２０】
請求項１〜１０のいずれか１項に記載の方法を適用することができる設備、又は、請求項１１〜１８のいずれか１項に記載のテープを製造するための設備であって、
ａ）少なくとも１つのブレーキ付きのコイルホルダのピンと、
ｂ）糸を機械軸に並べるための巻出し装置と、
ｃ）任意選択で、横方向に拡幅する装置と、
ｄ）幅の較正のための装置と、
ｅ）任意選択で、挟み込み及び引張装置と、
ｆ）任意選択で、ストランドの幅を測定するための装置と、
ｇ）接地された少なくとも１つの金属部品と、
ｈ）少なくとも１つの静電粉末コーティング装置と、
ｉ）少なくとも１つのオーブンと、
ｊ）任意選択で、機械軸と一致させるようにテープを並べるための装置と、
ｋ）任意選択で、カレンダーと、
ｌ）横方向及び厚さの較正装置と、
ｍ）任意選択で、テープの幅を測定するための装置と、
ｎ）少なくとも１つの保管コイルホルダのピンと
を含むことを特徴とする、設備。
【請求項２１】
前記粉末コーティング装置が、コロナ放電の原理を使用する静電粉末コーティングのための１つ又は複数のガン又はノズルと、乾燥流動化装置とを含むことを特徴とする、請求項２０に記載の設備。
【手続補正書】
【提出日】平成30年10月17日(2018.10.17)
【手続補正１】
【補正対象書類名】特許請求の範囲
【補正対象項目名】全文
【補正方法】変更
【補正の内容】
【特許請求の範囲】
【請求項１】
ジアルキルベンゼン化合物
【化１】
2017533926.tif 000001
の部位選択的官能化であって、ここで、位置（ａ）で官能化された化合物：位置（ｂ）で官能化された化合物の比が、少なくとも７０：３０、より詳細には少なくとも８０：２０、なおいっそうより詳細には少なくとも８５：１５、およびなおいっそうより詳細には少なくとも９０：１０であり、置換基Ｒは、イソブチル基であることを特徴とする、前記部位選択的官能化。
【請求項２】
反応が、位置（ａ）へベンズアルデヒド官能性を導入するカルボニル化反応である、請求項１に記載の部位選択的官能化。
【請求項３】
式（Ｉ）
【化２】
2017533926.tif 000002
に従う化合物を生成するプロセスであって、ジアルキルベンゼン化合物
【化３】
2017533926.tif 000003
を部位選択的に官能化するステップ、ここで、位置（ａ）で官能化された化合物：位置（ｂ）で官能化された化合物の比が、少なくとも７０：３０、より詳細には少なくとも８０：２０、なおいっそうより詳細には少なくとも８５：１５、およびなおいっそうより詳細には少なくとも９０：１０であり、ならびにここで、置換基Ｒは、イソブチル基である、を含む、前記プロセス。
【請求項４】
式（Ｉ）
【化４】
2017533926.tif 000004
で表される化合物を生成するプロセスであって、以下のステップ：
【化５】
2017533926.tif 000005
および
Ｃ）化合物（ＶＩ）の水素化により化合物（Ｉ）を提供すること
を含む、前記プロセス。
【請求項５】
式（Ｉ）で表される化合物を生成するプロセスにおける有用な中間体としての式ＩＩＩｂ
【化６】
2017533926.tif 000006
で表される化合物。
【手続補正書】
【提出日】平成30年11月7日(2018.11.7)
【手続補正１】
【補正対象書類名】特許請求の範囲
【補正対象項目名】全文
【補正方法】変更
【補正の内容】
【特許請求の範囲】
【請求項１】
式(I)
【化１】
2017533925.tif 000001
［式中、
R1は、ブトキシ又はメチルブトキシであり、
R2は、構造
【化２】
2017533925.tif 000002
(式中、
nは、5の値を有する整数であり;
Hetは、5個の炭素原子及び1個の窒素原子を含有する6員の飽和複素環であり、ここで、Hetは、複素環の4位の炭素において、-(CH2)n-部分に結合しており、
R3は、水素である)
を有する基である］
の化合物、又はその薬学的に許容される塩。
【請求項２】
R1が、1-メチルブトキシである、請求項１に記載の化合物。
【請求項３】
R1が、(1S)-1-メチルブトキシである、請求項１又は請求項２に記載の化合物。
【請求項４】
式(I)
［式中、
R1は、(1S)-1-メチルブトキシであり、
R2は、構造
【化３】
2017533925.tif 000003
(式中、
nは、5の値を有する整数であり;
Hetは、ピペリジンであり、ここで、Hetは、複素環の4位の炭素において、-(CH2)n-部分に結合しており、
R3は、水素である)
を有する基である］
の化合物、又はその薬学的に許容される塩。
【請求項５】
化合物6-アミノ-9-[5-(4-ピペリジニル)ペンチル]-2-[(1S)-1-メチルブチル]オキシ]-7,9-ジヒドロ-8H-プリン-8-オン、又はその薬学的に許容される塩。
【請求項６】
アレルギー性疾患又は他の炎症状態の治療において使用するための、請求項１〜５のいずれか一項に記載の化合物。
【請求項７】
請求項１〜５のいずれか一項で定義される化合物と、1種以上の薬学的に許容される希釈剤又は担体とを含む医薬組成物。
【請求項８】
請求項１〜５のいずれか一項で定義される化合物、及び抗原又は抗原組成物を含む免疫原性組成物。
【請求項９】
疾患の治療又は防止用の、抗原又は抗原組成物を含む免疫原性組成物の製造のための、請求項１〜５のいずれか一項で定義される化合物の使用。
【請求項１０】
アレルギー性疾患若しくは他の炎症状態、感染症、又は癌の治療用の医薬の製造のための、請求項１〜５のいずれか一項で定義される化合物の使用。
【請求項１１】
アレルギー性鼻炎又は喘息の治療用の医薬の製造のための、請求項１〜５のいずれか一項で定義される化合物の使用。
【請求項１２】
請求項１〜５のいずれか一項で定義される化合物を含み、(a)少なくとも1種の他の治療上の活性薬剤、(b)薬学的に許容される希釈剤、及び(c)薬学的に許容される担体から選択される成分をさらに含む組成物。
【手続補正２】
【補正対象書類名】明細書
【補正対象項目名】０２１０
【補正方法】変更
【補正の内容】
【０２１０】
上記のデータを表2にまとめる。化合物3xにおける、その低いTLR7のED50及び高い相対的IFN-アルファ及びIL-12p70誘導について注目されたい。
【表１】
2017533925.tif 000004
いくつかの実施形態を以下に示す。
項１
式(I)
【化２２】
2017533925.tif 000005
［式中、
R1は、ブトキシ又はメチルブトキシであり、
R2は、構造
【化２３】
2017533925.tif 000006
(式中、
nは、5の値を有する整数であり;
Hetは、5個の炭素原子及び1個の窒素原子を含有する6員の飽和複素環であり、ここで、Hetは、複素環の4位の炭素において、-(CH2)n-部分に結合しており、
R3は、水素である)
を有する基である］
の化合物、又はその薬学的に許容される塩。
項２
R1が、1-メチルブトキシである、項１に記載の化合物。
項３
R1が、(1S)-1-メチルブトキシである、項１又は項２に記載の化合物。
項４
式(I)
［式中、
R1は、(1S)-1-メチルブトキシであり、
R2は、構造
【化２４】
2017533925.tif 000007
(式中、
nは、5の値を有する整数であり;
Hetは、ピペリジンであり、ここで、Hetは、複素環の4位の炭素において、-(CH2)n-部分に結合しており、
R3は、水素である)
を有する基である］
の化合物、又はその薬学的に許容される塩。
項５
化合物6-アミノ-9-[5-(4-ピペリジニル)ペンチル]-2-[(1S)-1-メチルブチル]オキシ]-7,9-ジヒドロ-8H-プリン-8-オン、又はその薬学的に許容される塩。
項６
アレルギー性疾患又は他の炎症状態の治療において使用するための、項１〜５のいずれか一項に記載の化合物。
項７
アレルギー性疾患又は他の炎症状態の治療方法であって、それを必要としているヒト被験者に、治療有効量の項１〜５のいずれか一項で定義される化合物を投与するステップを含む方法。
項８
項１〜５のいずれか一項で定義される化合物と、1種以上の薬学的に許容される希釈剤又は担体とを含む医薬組成物。
項９
項１〜５のいずれか一項で定義される化合物、及び抗原又は抗原組成物を含む免疫原性組成物。
項１０
疾患の治療又は防止の方法であって、前記疾患にかかっているか、又はかかりやすいヒト被験者に、項５に記載の組成物を投与するステップを含む方法。
項１１
疾患の治療又は防止用の、抗原又は抗原組成物を含む免疫原性組成物の製造のための、項１〜５のいずれか一項で定義される化合物の使用。
項１２
アレルギー性疾患若しくは他の炎症状態、感染症、又は癌の治療用の医薬の製造のための、項１〜５のいずれか一項で定義される化合物の使用。
項１３
アレルギー性鼻炎又は喘息の治療用の医薬の製造のための、項１〜５のいずれか一項で定義される化合物の使用。
項１４
アレルギー性鼻炎又は喘息の治療方法であって、それを必要としているヒト被験者に、治療有効量の項１〜５のいずれか一項で定義される化合物を投与するステップを含む方法。
項１５
項１〜５のいずれか一項で定義される化合物を含み、(a)少なくとも1種の他の治療上の活性薬剤、(b)薬学的に許容される希釈剤、及び(c)薬学的に許容される担体から選択される成分をさらに含む組成物。
項１６
治療に使用するための、項１〜５のいずれか一項で定義される化合物を含む組成物。
項１７
治療に使用する医薬の製造のための、項１〜５のいずれか一項で定義される化合物の使用。
項１８
治療に使用するための、項１〜５のいずれか一項で定義される化合物。
【手続補正書】
【提出日】平成30年11月2日(2018.11.2)
【手続補正１】
【補正対象書類名】特許請求の範囲
【補正対象項目名】全文
【補正方法】変更
【補正の内容】
【特許請求の範囲】
【請求項１】
牽引性脱毛症を治療または予防する方法に用いるための組成物であって、前記組成物が、毛髪運動有効量のα１アドレナリン受容体アゴニストを含み、前記方法が、少なくとも１つの毛包を含む頭部の皮膚の一部に前記組成物を局所施用することを含む、組成物。
【請求項２】
前記少なくとも１つの毛包が張力下にある、請求項１に記載の組成物。
【請求項３】
前記皮膚の一部が牽引性脱毛症を発症するリスクがある、請求項１に記載の組成物。
【請求項４】
前記組成物が、シネフリンまたはその薬学的に許容される塩もしくは水和物であるα１アドレナリン受容体アゴニストを含み、前記シネフリンが５重量％〜６０重量％の濃度で前記組成物中に存在する、請求項１に記載の組成物。
【請求項５】
前記組成物が、Ｒ−（−）−４−［１−ヒドロキシ−２−（メチルアミノ）エチル］フェノールであるシネフリンのｌ−エナンチオマーを含み、１０重量％未満のシネフリンの他のエナンチオマーを有する、請求項１に記載の組成物。
【請求項６】
Ｒ−（−）−４−［１−ヒドロキシ−２−（メチルアミノ）エチル］フェノールが２０重量％〜４０重量％で前記組成物中に存在する、請求項５に記載の組成物。
【請求項７】
ブラッシング、梳きまたはシャワー中の毛髪脱落を低減する方法に用いるための組成物であって、前記組成物が、毛髪運動有効量のα１アドレナリン受容体アゴニストを含み、前記方法が、少なくとも１つの毛包を含む頭部の皮膚の一部に前記組成物を局所施用することを含む、組成物。
【請求項８】
前記α１アドレナリン受容体アゴニストがブラッシングまたは梳きの前に前記皮膚に施用される、請求項７に記載の組成物。
【請求項９】
前記少なくとも１つの毛包が張力下にある、請求項７に記載の組成物。
【請求項１０】
前記組成物が、シネフリンまたはその薬学的に許容される塩もしくは水和物であるα１アドレナリン受容体アゴニストを含み、前記シネフリンが５重量％〜６０重量％の濃度で前記組成物中に存在する、請求項７に記載の組成物。
【請求項１１】
前記組成物が、Ｒ−（−）−４−［１−ヒドロキシ−２−（メチルアミノ）エチル］フェノールであるシネフリンのｌ−エナンチオマーを含み、１０重量％未満のシネフリンの他のエナンチオマーを有する、請求項７に記載の組成物。
【請求項１２】
Ｒ−（−）−４−［１−ヒドロキシ−２−（メチルアミノ）エチル］フェノールが２０重量％〜４０重量％で前記組成物中に存在する、請求項１１に記載の組成物。
【請求項１３】
毛髪の脱毛力を増加させる方法に用いるための組成物であって、前記組成物が、毛髪運動有効量のα１アドレナリン受容体アゴニストを含み、前記方法が、少なくとも１つの毛包を含む人の頭部の皮膚の一部に前記組成物を局所施用することを含む、組成物。
【請求項１４】
前記組成物が施用される前、間または後に、人が、編み込み、ストレートアイロン、ヘアウィーブの取り付け、ヘアエクステンションの取り付け、または髪を後ろでポニーテールに結ぶことからなる群から選択される前記毛髪への美容処置を受ける、請求項１３に記載の組成物。
【請求項１５】
前記組成物が、シネフリンまたはその薬学的に許容される塩もしくは水和物であるα１アドレナリン受容体アゴニストを含み、前記シネフリンが５重量％〜６０重量％の濃度で前記組成物中に存在する、請求項１３に記載の組成物。
【請求項１６】
前記組成物が、Ｒ−（−）−４−［１−ヒドロキシ−２−（メチルアミノ）エチル］フェノールであるシネフリンのｌ−エナンチオマーを含み、１０重量％未満のシネフリンの他のエナンチオマーを有する、請求項１３に記載の組成物。
【請求項１７】
Ｒ−（−）−４−［１−ヒドロキシ−２−（メチルアミノ）エチル］フェノールが２０重量％〜４０重量％で前記組成物中に存在する、請求項１６に記載の組成物。
【請求項１８】
前記α１アドレナリン受容体アゴニストが１日１回前記皮膚に施用される、請求項１３に記載の組成物。
【請求項１９】
α１アドレナリン受容体アゴニストの前記組成物が１日２回前記皮膚に施用される、請求項１３に記載の組成物。
【請求項２０】
牽引性脱毛症を予防する方法に用いるための組成物であって、前記組成物が、毛髪運動有効量のα１アドレナリン受容体アゴニストを含み、前記方法が、頭皮の、毛髪増加装置からの引っ張り力を受ける毛包の群を含む領域に、前記組成物を施用することと；前記毛髪増加装置を前記毛包の群に取り付けることとを含む、組成物。
【手続補正書】
【提出日】平成30年11月12日(2018.11.12)
【手続補正１】
【補正対象書類名】特許請求の範囲
【補正対象項目名】全文
【補正方法】変更
【補正の内容】
【特許請求の範囲】
【請求項１】
下記式(I)
【化１】
2017533935.tif 000001
(I)
（式中、
Aは、H及びC1-6-アルキルから成る群A1より選択され；
Gは、CH及びNから成る群G1より選択され、ここで、2つまでのGがNであり、他のGはCHであり；
R1及びR2は、H、C1-6-アルキル及びC3-6-シクロアルキルから成る群R1.1、R2.1より独立に選択され、ここで、R1又はR2の少なくとも1つはC1-6-アルキル又はC3-6-シクロアルキルであり、或いはR1とR2が一緒に、N、O又はSから成る群より独立に選択される0〜2個のヘテロ原子を組み入れた2〜5員アルキレン架橋を形成し、前記C1-6-アルキル、C3-6-シクロアルキル又はアルキレン架橋は、任意にハロゲンで置換されていてもよく；
Wは、単環式又は二環式アリール、単環式又は二環式ヘテロアリール、単環式又は二環式ヘテロシクリル及び単環式又は二環式シクロアルキルから成る群W1より選択され、ここで、これらの環系は、それぞれ任意に1つ以上のR3で置換されていてもよく、前記ヘテロアリールは、4個までのヘテロ原子及び1又は2つの5又は6員環を含み；
R3は、C1-6-アルキル、C3-8-シクロアルキル、C1-6-アルキル-O-、ベンジル、ハロゲン、HO-、NC-、単環式又は二環式ヘテロアリール、及びN、O若しくはS(O)rから成る群より選択される1個のヘテロ原子を含有する5又は6員単環式ヘテロシクリルから成る群R3.1より独立に選択され、ここで、前記ヘテロアリールは、4個までのヘテロ原子及び1又は2つの5又は6員環を含み、rは0、1又は2であり、
前記C1-6-アルキル、C3-8-シクロアルキル、C1-6-アルキル-O-、ベンジル、ヘテロアリール及びヘテロシクリルは、任意にハロゲン、HO-、アセチル、C1-6-アルキル-O-、オキソ、R4-S(O)2-で置換されていてもよく、R4は、アリール、C3-6-シクロアルキル及び／又はC1-6-アルキルであり；
Yは、結合及び-CH2O-から成る群Y1より選択される）
の化合物
又は前記化合物のいずれかの塩。
【請求項２】
AがHである、請求項1に記載の化合物。
【請求項３】
Wが、単環式又は二環式アリール、単環式又は二環式ヘテロアリール及び単環式又は二環式ヘテロシクリルから成る群より選択され、これらの環系は、それぞれ任意に1つ以上のR3で置換されていてもよく、前記ヘテロアリールは、4個までのヘテロ原子及び1又は2つの5又は6員環を含む、請求項1又は2に記載の化合物。
【請求項４】
Wが、下記
【化２】
2017533935.tif 000002
【化３】
2017533935.tif 000003
【化４】
2017533935.tif 000004
から成る群より選択され、
これらの環系は、それぞれ任意に1つ以上のR3で置換されていてもよい、
請求項1又は2に記載の化合物。
【請求項５】
Wが、下記
【化５】
2017533935.tif 000005
から成る群より選択され、
これらの環系は、それぞれ任意に1つ以上のR3で置換されていてもよい、
請求項1又は2に記載の化合物。
【請求項６】
Gが、CH又はNであり、1つまでのGがNであり、他のGはCHである、請求項1〜5のいずれか1項に記載の化合物。
【請求項７】
R3が、C1-6-アルキル、C3-8-シクロアルキル、C1-6-アルキル-O-、ハロゲン、NC-から成る群より選択され、
ここで、R3がWのN原子に結合している場合、R3は、C1-3-アルキル及びC3-6-シクロアルキルから成る群より選択され、前記C1-3-アルキル、C3-6-シクロアルキル、及びC1-3-アルキル-O-置換基は、任意にハロゲンで置換されていてもよい、請求項1〜6のいずれか1項に記載の化合物。
【請求項８】
R3が、H3C-、F-及びF3C-から成る群より選択され、
ここで、R3がWのN原子に結合している場合、R3はH3C-である、請求項1〜6のいずれか1項に記載の化合物。
【請求項９】
R1及びR2が、C1-6-アルキル及びC3-6-シクロアルキルから成る群より独立に選択され、或いはR1とR2が一緒に、N、O又はSから成る群より独立に選択される0〜2個のヘテロ原子を組み入れた2〜5員アルキルレン架橋を形成し、
前記C1-6-アルキル、C3-6-シクロアルキル又はアルキレン架橋は任意にハロゲンで置換されていてもよい、請求項1〜8のいずれか1項に記載の化合物。
【請求項１０】
R1及びR2が両方ともH3C-である、請求項1〜8のいずれか1項に記載の化合物。
【請求項１１】
Yが結合である、請求項1〜10のいずれか1項に記載の化合物。
【請求項１２】
前記化合物が、下記
【化６】
2017533935.tif 000006
2017533935.tif 000007
2017533935.tif 000008
2017533935.tif 000009
2017533935.tif 000010
2017533935.tif 000011
2017533935.tif 000012
2017533935.tif 000013
2017533935.tif 000014
2017533935.tif 000015
2017533935.tif 000016
から成る群より選択される、請求項1に記載の化合物
又は前記化合物のいずれかの塩。
【請求項１３】
請求項1〜12のいずれか1項に記載の少なくとも1種の化合物又はその医薬的に許容される塩を含み、任意に1種以上の医薬的に許容される担体を共に含んでいても良い、医薬組成物。
【請求項１４】
疼痛の治療及び／又は予防に使用するための、請求項13に記載の医薬組成物。
【請求項１５】
疼痛が、急性疼痛、神経障害性抹消疼痛、慢性疼痛又は変形性関節症である、請求項14に記載の医薬組成物。
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
β−ラクタマーゼ阻害剤：
【化１】
2017533945.tif 000001
またはその医薬的に許容される塩、及びスルバクタムまたはその医薬的に許容される塩から本質的になる組み合わせ。
【請求項２】
１つ以上の医薬的に許容される担体、希釈剤、及び／または賦形剤、及び任意にアンピシリンまたはセフォペラゾンをさらに含む、請求項１に記載の組み合わせ。
【請求項３】
前記β−ラクタマーゼ阻害剤が、ナトリウム塩の形態である、請求項１または２に記載の組み合わせ。
【請求項４】
細菌感染症の治療に使用するための、β−ラクタマーゼ阻害剤：
【化１０】
2017533945.tif 000002
またはその医薬的に許容される塩、及びスルバクタムまたはその医薬的に許容される塩から本質的になる組み合わせ。
【請求項５】
細菌感染症の治療に使用するための、１つ以上の医薬的に許容される担体、及び／または希釈剤、及び任意にアンピシリンまたはセフォペラゾンをさらに含む、請求項４に記載の組み合わせ。
【請求項６】
前記β−ラクタマーゼ阻害剤が、ナトリウム塩の形態である、請求項４または５に記載の組み合わせ。
【請求項７】
前記細菌感染症が、腸内細菌科病原菌、アシネトバクター属病原菌、緑膿菌病原菌、またはバークホルデリア属病原菌によって引き起こされる、細菌感染症の治療に使用するための、請求項４〜６のいずれか１項に記載の組み合わせ。
【請求項８】
β−ラクタマーゼ阻害剤：
【化１６】
2017533945.tif 000003
またはその医薬的に許容される塩、スルバクタムまたはその医薬的に許容される塩、イミペネムまたはその医薬的に許容される塩、及びシラスタチンまたはその医薬的に許容される塩を含む組み合わせ。
【請求項９】
前記β−ラクタマーゼ阻害剤が、ナトリウム塩の形態である、請求項８に記載の組み合わせ。
【請求項１０】
細菌感染症の治療に使用するための、β−ラクタマーゼ阻害剤：
【化２０】
2017533945.tif 000004
またはその医薬的に許容される塩、スルバクタムまたはその医薬的に許容される塩、イミペネムまたはその医薬的に許容される塩、及びシラスタチンまたはその医薬的に許容される塩を含む組み合わせ。
【請求項１１】
前記細菌感染症が、アシネトバクター属病原菌、バークホルデリア属病原菌、緑膿菌、または腸内細菌科によって引き起こされる、細菌感染症の治療に使用するための、請求項１０に記載の組み合わせ。
【請求項１２】
前記スルバクタムまたはその医薬的に許容される塩が、スルバクタム＋アンピシリンまたはセフォペラゾン組み合わせ製品の一部である、請求項１〜１１のいずれか１項に記載の組み合わせ。
【手続補正書】
【提出日】平成30年10月29日(2018.10.29)
【手続補正１】
【補正対象書類名】特許請求の範囲
【補正対象項目名】全文
【補正方法】変更
【補正の内容】
【特許請求の範囲】
【請求項１】
付随する出血性副作用が最小であると同時に、血栓溶解速度が最大である、脳卒中または急性心筋梗塞（ＡＭＩ）の症状がある対象の処置に使用するための組成物であって、
５ｍｇ未満の組織プラスミノーゲン活性化因子（ｔＰＡ）を含有する第１の組成物を含み、前記第１の組成物は、ボーラスの投与レジメンで対象に投与され、または投与するために調製され、かつ
プロウロキナーゼ変異体（ｍｐｒｏＵＫ）を含有する第２の組成物を含み、前記第２の組成物は、第１の組成物の投与に続き、６０〜１２０ｍｇ／時で６０〜９０分間にわたる投与レジメンで、静脈内注入によって対象に投与され、または投与するために調製され、
ここで、前記対象は、第１の組成物の投与に先立って、脳卒中の原因を決定することなしに、脳卒中またはＡＭＩの１つまたは複数の症状を観察することによって、脳卒中またはＡＭＩを起こしている可能性があるものと特定され、
付随する出血性副作用が最小であることと同時に、最大の血栓溶解速度が達成される、
組成物。
【請求項２】
対象が、脳卒中の症状を有する、請求項１に記載の組成物。
【請求項３】
付随する出血性副作用が最小であることが、対象の血液におけるフィブリノーゲンの分解度が３０％未満であることとして決定される、請求項１または２に記載の組成物。
【請求項４】
最大の血栓溶解速度が達成されたことが、心筋梗塞における血栓溶解（ＴＩＭＩ）が２以上であることによって示される、請求項１または２に記載の組成物。
【請求項５】
最大の血栓溶解速度が達成されたことが、対象における少なくとも１つの血栓の質量の５０％の溶解が、７５分以内に実現したことによって示される、請求項１または２に記載の組成物。
【請求項６】
プロウロキナーゼ変異体が、プロウロキナーゼの３００位のアミノ酸における、リジンからヒスチジンへの置換（Ｌｙｓ３００→Ｈｉｓ）を含む、請求項１〜５のいずれか１項に記載の組成物。
【請求項７】
ボーラスが、２〜４．５ｍｇのｔＰＡを含む、請求項１〜６のいずれか１項に記載の組成物。
【請求項８】
ボーラスが、２〜４．０ｍｇのｔＰＡを含む、請求項７に記載の組成物。
【請求項９】
ボーラスが、２ｍｇのｔＰＡを含む、請求項７に記載の組成物。
【請求項１０】
第２の組成物が、ｍｐｒｏＵＫの、６０〜９０ｍｇ／時の速度での静脈内注入として、６０〜９０分間にわたる投与のために調製される、請求項１〜９のいずれか１項に記載の組成物。
【請求項１１】
第２の組成物が、ｍｐｒｏＵＫの、６０〜８０ｍｇ／時の速度での静脈内注入として、６０分間にわたる投与のために調製される、請求項１０に記載の組成物。
【請求項１２】
Ｃ１インヒビターのボーラスを含有する第３の組成物をさらに含む、請求項１〜１１のいずれか１項に記載の組成物。
【請求項１３】
第３の組成物が、Ｃ１インヒビターの５００〜１５００ｍｇのボーラスを含む、請求項１２に記載の組成物。
【請求項１４】
第１の組成物と第２の組成物とが、一緒になって、Ｃ１インヒビター存在下、ｔＰＡ単独またはプロウロキナーゼ単独のいずれか一方の単剤療法と比較して、フィブリノーゲンの分解が３０％未満の状態で、血栓を溶解する、請求項１３に記載の組成物。
【請求項１５】
第１の容器に入った、２〜５ｍｇの組織プラスミノーゲン活性化因子（ｔＰＡ）を含有する第１の組成物と、
第２の容器に入った、プロウロキナーゼの３００番目のアミン酸位置において、リジンからヒスチジンへの置換（Ｌｙｓ３００→Ｈｉｓ）を含む６０〜１２０ｍｇのプロウロキナーゼ変異体（ｍｐｒｏＵＫ）を含有する第２の組成物とを含む、キット。
【請求項１６】
第１の組成物が、ボーラスとしての投与に適するように製剤化される、請求項１５に記載のキット。
【請求項１７】
第２の組成物が、静脈内注入に適するように製剤化される、請求項１５に記載のキット。
【請求項１８】
５００〜１５００ｍｇのＣ１インヒビターを含有する第３の組成物をさらに含む、請求項１５に記載のキット。
【請求項１９】
第３の組成物が、ボーラスとしての投与に適するように製剤化される、請求項１５に記載のキット。
【手続補正書】
【提出日】平成30年5月17日(2018.5.17)
【手続補正１】
【補正対象書類名】特許請求の範囲
【補正対象項目名】全文
【補正方法】変更
【補正の内容】
【特許請求の範囲】
【請求項１】
単離された生体試料におけるトリパノソーマ・クルージ（Ｔｒｙｐａｎｏｓｏｍａ  ｃｒｕｚｉ）に対する抗体の検出に好適なポリペプチドであって、前記ポリペプチドがＪＬ７特異的アミノ酸配列を含み、前記トリパノソーマ・クルージＪＬ７特異的アミノ酸配列が、配列番号４で表される配列からなるものであり、さらなるトリパノソーマ・クルージ特異的アミノ酸配列が、前記ポリペプチド中に存在しない、前記ポリペプチド。
【請求項２】
単離された生体試料におけるトリパノソーマ・クルージ抗原に対する抗体の検出に好適なポリペプチドの組成物であって、請求項１に記載のポリペプチドと、１Ｆ８、クルジパイン、ＫＭＰ−１１、およびＰＡＲ−２からなる群より選択される少なくとも１つのトリパノソーマ・クルージポリペプチドとを含む、前記組成物。
【請求項３】
可溶性で免疫反応性のトリパノソーマ・クルージＪＬ７ポリペプチドを製造する方法であって、
ａ）請求項１に記載のトリパノソーマ・クルージＪＬ７ポリペプチドをコードする作動可能に連結された遺伝子組み換えＤＮＡ分子を含む発現ベクターによってトランスフォームされたホスト細胞を培養するステップと、
ｂ）前記トリパノソーマ・クルージＪＬ７ポリペプチドの発現ステップと、
ｃ）前記トリパノソーマ・クルージＪＬ７ポリペプチドの精製ステップと
を含む、前記方法。
【請求項４】
単離された試料においてトリパノソーマ・クルージに対して特異的な抗体を検出する方法であって、請求項１に記載トリパノソーマ・クルージＪＬ７ポリペプチド、または請求項２に記載のトリパノソーマ・クルージポリペプチドの組成物が、前記トリパノソーマ・クルージ抗体に対する捕捉試薬および／または結合パートナーとして使用される、前記方法。
【請求項５】
単離された試料においてトリパノソーマ・クルージ抗原に特異的な抗体を検出する方法であって、
ａ）体液試料を、請求項１に記載のトリパノソーマ・クルージＪＬ７ポリペプチド、または請求項２に記載の組成物と混和することによって、免疫反応混和物を形成すること、
ｂ）ポリペプチド試料の組成物に対する体液試料中に存在する抗体を、トリパノソーマ・クルージポリペプチドの前記組成物と免疫反応させて免疫反応生成物を形成させるのに十分な期間、免疫反応混和物を維持すること、および、
ｃ）いかなる免疫反応生成物についてもその存在および／または濃度を検出すること、
を含む、前記方法。
【請求項６】
請求項５に記載の単離された試料においてトリパノソーマ・クルージに特異的な抗体を検出する方法であって、前記免疫反応が、
ａ）前記試料に、固相に直接的または間接的に結合することができ、かつバイオアフィン結合対の一部であるエフェクター基を有する第１の請求項１に記載のトリパノソーマ・クルージＪＬ７ポリペプチドと、検出可能な標識を有する第２の請求項１に記載のトリパノソーマ・クルージＪＬ７ポリペプチドとを加えるステップであって、第１および第２のトリパノソーマ・クルージＪＬ７ポリペプチドが、前記抗トリパノソーマ・クルージ抗体に特異的に結合させること、
ｂ）第１のトリパノソーマ・クルージＪＬ７ポリペプチド、試料抗体、および第２のトリパノソーマ・クルージＪＬ７ポリペプチドを含む免疫反応混和物を形成すること、ここで前記バイオアフィン結合対に対応するエフェクター基を有する固相が、免疫反応混和物を形成する前、形成中、または形成後に加えられる、
ｃ）体液試料中の第１および第２のトリパノソーマ・クルージＪＬ７ポリペプチドに対するトリパノソーマ・クルージ抗体を第１および第２のトリパノソーマ・クルージポリペプチドと免疫反応させて免疫反応生成物を形成させるのに十分な期間、免疫反応混和物を維持すること、
ｄ）固相から液相を分離すること、および、
ｅ）固相もしくは液相またはその両方において、いかなる免疫反応生成物についてもその存在を検出すること、
を含む、二重抗原サンドイッチ形式において実施される、前記方法。
【請求項７】
前記第１のトリパノソーマ・クルージＪＬ７ポリペプチドがビオチン部分を有し、および前記第２のトリパノソーマ・クルージＪＬ７ポリペプチドが、電気化学ルミネセンス性のルテニウム錯体によって標識されている、請求項６に記載のトリパノソーマ・クルージに特異的な抗体を検出する方法。
【請求項８】
抗トリパノソーマ・クルージ抗体の検出のためのインビトロ診断試験における、請求項１に記載のトリパノソーマ・クルージＪＬ７ポリペプチド、または請求項２に記載の組成物の使用。
【請求項９】
請求項１に記載のトリパノソーマ・クルージＪＬ７ポリペプチド、または請求項２に記載の組成物を含む、抗トリパノソーマ・クルージ抗体の検出のための試薬キット。
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
下記の用途に用いるための医薬の製造における、ヒトミルク単糖（ＨＭＯ）の使用：
−抗生物質による治療を受けているまたは受けたことのある患者における、過敏性腸症候群（ＩＢＳ）またはＩＢＳ症状の予防
−ＩＢＳの患者、特に細菌異常繁殖、腸内菌共生バランス失調および粘膜関門の損傷のうち１つ以上を有する患者の治療、
−ＩＢＳの患者、特に細菌異常繁殖、腸内菌共生バランス失調および粘膜関門の損傷のうち１つ以上を有する患者におけるＩＢＳ症状の軽減、
−ＩＢＳの患者、特に細菌異常繁殖、腸内菌共生バランス失調および粘膜関門の損傷のうち１つ以上を有するＩＢＳの患者における、腹痛、腹部不快感および／または腹部膨満の慢性症状のうち１つ以上の治療、
−ＩＢＳの患者、特に細菌異常繁殖、腸内菌共生バランス失調および粘膜関門の損傷のうち１つ以上を有する患者における、軟便または頻繁な便通、下痢および便秘などの便通パターンの変化の慢性症状のうち１つ以上の治療、
−ＩＢＳの元患者、特に細菌異常繁殖、腸内菌共生バランス失調および粘膜関門の損傷のうち１つ以上を以前有していたＩＢＳの元患者における、ＩＢＳの再発の予防、および／または
−患者、特に細菌異常繁殖、腸内菌共生バランス失調および粘膜関門の損傷のうち１つ以上を有するＩＢＳの患者におけるＩＢＳ症状を軽減するためのＩＢＳ患者の結腸中のビフィドバクテリウム・アドレセンティスの増加。
【請求項２】
ＨＭＯが２’−ＦＬ、３−ＦＬ、ＤＦＬ、３’−ＳＬ、６’−ＳＬ、ＬＮＴ、ＬＮｎＴ、ＬＮＦＰ−ＩおよびＤＳＬＮＴから選択される、請求項１に記載の使用。
【請求項３】
ＨＭＯが１つ以上のＨＭＯ骨格、および１つ以上のフコシル化ＨＭＯの組み合わせである、請求項１に記載の使用。
【請求項４】
ＨＭＯ骨格がＬＮｎＴであり、フコシル化ＨＭＯが２’−ＦＬである、請求項３に記載の使用。
【請求項５】
２’−ＦＬおよびＬＮｎＴが４：１から１：１の質量比で存在する、請求項４に記載の使用。
【請求項６】
医薬が内臓感受性および通便異常の改善に用いられる、請求項１に記載の使用。
【請求項７】
ＨＭＯが中性ＨＭＯであり、医薬が初期治療期間の間は１日あたり５ｇから１０ｇの用量で、次いで維持期間の間は１日あたり１ｇから５ｇの用量で患者に投与されることを特徴とする、請求項６に記載の使用。
【請求項８】
組成物が有効量のヒトミルクオリゴ糖（ＨＭＯ）を含むことを特徴とする、下記の用途に用いられる合成組成物：
−抗生物質による治療を受けているまたは受けたことのある患者における、過敏性腸症候群（ＩＢＳ）またはＩＢＳ症状の予防、
−ＩＢＳの患者、特に細菌異常繁殖、腸内菌共生バランス失調および粘膜関門の損傷のうち１つ以上を有する患者の治療、
−ＩＢＳの患者、特に細菌異常繁殖、腸内菌共生バランス失調および粘膜関門の損傷のうち１つ以上を有する患者におけるＩＢＳ症状の軽減、
−ＩＢＳの患者、特に細菌異常繁殖、腸内菌共生バランス失調および粘膜関門の損傷のうち１つ以上を有するＩＢＳの患者における腹痛、腹部不快感および／または腹部膨満の慢性症状のうち１つ以上の治療、
−ＩＢＳの患者、特に細菌異常繁殖、腸内菌共生バランス失調および粘膜関門の損傷のうち１つ以上を有するＩＢＳの患者における、軟便または頻繁な便通、下痢および便秘などの便通パターンの変化の慢性症状のうち１つ以上の治療、
−ＩＢＳの元患者、特に細菌異常繁殖、腸内菌共生バランス失調および粘膜関門の損傷のうち１つ以上を有していたＩＢＳの元患者におけるＩＢＳの再発の予防、および／または
−患者、特に細菌異常繁殖、腸内菌共生バランス失調および粘膜関門の損傷のうち１つ以上を有するＩＢＳの患者におけるＩＢＳ症状を軽減するための、ＩＢＳの患者の結腸中のビフィドバクテリウム・アドレセンティスの増加。
【請求項９】
合成組成物が栄養組成物である、請求項８に記載の組成物。
【請求項１０】
ＨＭＯが２’−ＦＬ、３−ＦＬ、ＤＦＬ、３’−ＳＬ、６’−ＳＬ、ＬＮＴ、ＬＮｎＴ、ＬＮＦＰ−ＩおよびＤＳＬＮＴから選択される、請求項８または９に記載の組成物。
【請求項１１】
１つ以上のＨＭＯ骨格、および１つ以上のフコシル化ＨＭＯを含む、請求項８〜１０のいずれか１項に記載の組成物。
【請求項１２】
２’−ＦＬおよびＬＮｎＴを含む、請求項１１に記載の組成物。
【請求項１３】
２’−ＦＬおよびＬＮｎＴが４：１から１：１の質量比で存在する、請求項１２に記載の組成物。
【請求項１４】
内臓感受性および通便異常の改善に用いるための、請求項８に記載の組成物。
【請求項１５】
中性ＨＭＯを、初期治療期間の間は１日あたり５ｇから１０ｇの用量で、次いで維持期間の間は１日あたり１ｇから５ｇの用量で患者に投与する、１つ以上の中性ＨＭＯを含む、請求項１４に記載の組成物。
【手続補正書】
【提出日】平成30年10月11日(2018.10.11)
【手続補正１】
【補正対象書類名】特許請求の範囲
【補正対象項目名】全文
【補正方法】変更
【補正の内容】
【特許請求の範囲】
【請求項１】
対象において癌に直接投与されるエンプティ・ササゲモザイクウイルスナノ粒子の治療有効量を含む、癌の処置における使用のためのインサイチュ・ワクチンであって、前記エンプティ・ササゲモザイクウイルスナノ粒子が、薬物または抗原の送達のためのビヒクルとして使用されない、インサイチュ・ワクチン。
【請求項２】
前記エンプティ・ササゲモザイクウイルスナノ粒子の治療有効量が、前記対象において免疫応答を刺激するのに有効な量である、請求項１のインサイチュ・ワクチン。
【請求項３】
前記癌が転移癌である、請求項１のインサイチュ・ワクチン。
【請求項４】
前記癌が、黒色腫、乳癌、結腸癌、肺癌、および卵巣癌からなる群から選択される、請求項１のインサイチュ・ワクチン。
【請求項５】
前記癌が肺癌であり、前記エンプティ・ササゲモザイクウイルスナノ粒子が吸入によって投与される、請求項１のインサイチュ・ワクチン。
【請求項６】
前記癌が皮膚黒色腫であり、前記エンプティ・ササゲモザイクウイルスナノ粒子が腫瘍内投与される、請求項１のインサイチュ・ワクチン。
【請求項７】
抗癌剤と組み合わせて投与される、請求項１のインサイチュ・ワクチン。
【請求項８】
前記抗癌剤がドキソルビシンを含む、請求項９のインサイチュ・ワクチン。
【請求項９】
前記エンプティ・ササゲモザイクウイルスナノ粒子が、カーゴ分子を負荷されるか、またはカーゴ分子に結合される、請求項１のインサイチュ・ワクチン。
【手続補正書】
【提出日】平成30年9月26日(2018.9.26)
【手続補正１】
【補正対象書類名】特許請求の範囲
【補正対象項目名】全文
【補正方法】変更
【補正の内容】
【特許請求の範囲】
【請求項１】
チャンバと、
チャンバ内で移動可能な構築プラットフォームであって、流動可能な材料の層が横切って連続的に形成され得る構築プラットフォームと、
流動可能な材料を固化するエネルギービームを生成するユニットと、
選択された領域内の材料を固化させるために各層の選択された領域にエネルギービームを導く走査ユニットと、
チャンバ内の雰囲気から、酸素、窒素及び/又は水素を吸収するゲッターと、
を備えることを特徴とする積層造形製造装置。
【請求項２】
ゲッターは、酸素ゲッターであることを特徴とする請求項１に記載の積層造形製造装置。
【請求項３】
酸素ゲッターは、銅系ゲッターであることを特徴とする請求項２に記載の積層造形製造装置。
【請求項４】
前記チャンバを通ってガスを再循環させるために前記チャンバに接続された入口及び出口を有するガス再循環回路を備え、
前記ガス再循環回路は、酸素、窒素及び/又は水素を再循環ガスから吸収するゲッターを有していることを特徴とする請求項１乃至３のいずれかに記載の積層造形製造装置。
【請求項５】
前記ガス再循環回路は、前記ゲッターを前記チャンバ内の雰囲気から隔離することができるバルブを備えていることを特徴とする請求項４に記載の積層造形製造装置。
【請求項６】
前記チャンバは、前記積層造形製造装置を使用して構築された部品が前記チャンバから取り出されるドアを備え、そして前記バルブは、前記チャンバへの前記ドアが開かれているとき、前記ゲッターを前記チャンバから隔離するように配置されていることを特徴とする請求項５に記載の積層造形製造装置。
【請求項７】
前記ゲッターによって吸収された不要なガスを前記チャンバから除去する手段を備え、前記バルブは、前記ゲッターによって吸収されたガスが所定のレベルを超えて留まっている間に、前記ゲッターを前記チャンバから隔離するように構成されていることを特徴とする請求項５又は６に記載の積層造形製造装置。
【請求項８】
使用後に、前記ゲッターを再生する手段を備えていることを特徴とする請求項１乃至７のいずれか一項に記載の積層造形製造装置。
【請求項９】
前記ゲッターを再生する手段は、前記ゲッターを通過して流れるガスを加熱する加熱素子を備えていることを特徴とする請求項８に記載の積層造形製造装置。
【請求項１０】
前記ゲッターは、酸素ゲッターであり、
前記酸素ゲッターを再生する手段は、水素ガス源を備えていることを特徴とする請求項８又は９に記載の積層造形製造装置。
【請求項１１】
前記ゲッターの再生により生成される水分を、前記装置から除去する手段を備えることを特徴とする請求項１０に記載の積層造形製造装置。
【請求項１２】
前記ゲッターの再生の進行を示す特性を検出するセンサを備えることを特徴とする請求項８乃至１１のいずれか一項に記載の積層造形製造装置。
【請求項１３】
前記ゲッターは、酸素ゲッターであり、
前記センサは、前記ゲッターの材料の温度を監視する温度センサ、前記ゲッターを出るガス中の水分の量を検出する水分検出器、及び/又は前記ゲッターを出るガス中の水素濃度を検出する水素センサであることを特徴とする請求項１２に記載の積層造形製造装置。